(57)【特許請求の範囲】
【請求項１】
被保冷物が収容される内装ケースと、
断熱材からなり、１つの側面が開閉自在に構成されて当該側面から前記内装ケースを収容及び引き出し可能な外装箱とを有し、
前記外装箱は、一端が前記１つの側面に隣接する側面に固定されるとともに他端が前記１つの側面に固定され、前記１つの側面が当該外装箱の底面と平行な状態までしか開かないようにする支え紐を有し、
前記内装ケースは、上方が開放されるとともに、前記外装箱に収容された状態から引き出される際に引き出し側となる側壁の高さが、他の側壁よりも低い保冷箱。
【請求項２】
請求項１に記載の保冷箱において、
前記内装ケースは、保冷剤を収容可能な保冷剤収容部を有する保冷箱。
【発明の詳細な説明】
【技術分野】
【０００１】
本発明は、被保冷物を収容して保冷する保冷箱に関し、特に、収容された被保冷物を取り出しやすくする技術に関する。
【背景技術】
【０００２】
従来、定温での保管が好ましい食料品等においては、工場内での運搬時や、店舗への配送時等に、断熱性を有する保冷箱に収容されて保冷されながら運搬することが行われている。
【０００３】
特許文献１には、内側の面に断熱パネルが配置されてなる折り畳み式保冷保温ボックスが開示されている。この折り畳み式保冷保温ボックスは、天面、底面及び２つの側面が折り畳み可能となっていることで、利用しない時にはコンパクトに折り畳んで保管することができる。また、手前側の側面の上部半分と天面とが開放可能に構成されており、それにより、その側面の上部半分や天面、あるいはその両方を開放することで、被保冷物を収容したり、内部に収容された被保冷物を取り出したりすることができる。
【先行技術文献】
【特許文献】
【０００４】
【特許文献１】特許第３８９６４４８号公報
【発明の概要】
【発明が解決しようとする課題】
【０００５】
特許文献１に開示されたものは、天面や側面が開放可能となっており、これら天面や側面を開放することで、内部に収容された被保冷物を取り出すことになるため、奥の方に収容された被保冷物を取り出すためには、天面と側面のうち少なくとも天面を開放する必要がある。
【０００６】
そのため、天面の上に他の収容ボックス等が載置されている場合、載置された収容ボックス等を天面から降ろさないと天面を開放することができず、奥の方に収容された被保冷物を容易に取り出すことができないという問題点がある。
【０００７】
本発明は、上述したような従来の技術が有する問題点に鑑みてなされたものであって、収容された被保冷物を容易に取り出すことができる保冷箱を提供することを目的とする。
【課題を解決するための手段】
【０００８】
上記目的を達成するために本発明は、
被保冷物が収容される内装ケースと、
断熱材からなり、１つの側面が開閉自在に構成されて当該側面から前記内装ケースを収容及び引き出し可能な外装箱とを有し、
前記外装箱は、一端が前記１つの側面に隣接する側面に固定されるとともに他端が前記１つの側面に固定され、前記１つの側面が当該外装箱の底面と平行な状態までしか開かないようにする支え紐を有し、
前記内装ケースは、上方が開放されるとともに、前記外装箱に収容された状態から引き出される際に引き出し側となる側壁の高さが、他の側壁よりも低い。
【０００９】
上記のように構成された本発明においては、被保冷物が収容された内装ケースが、断熱材からなり、１つの側面が開閉自在に構成された外装箱にその１つの側面から収容されることにより、被保冷物が収容されて保冷される。その後、内装ケースを外装箱から引き出して、収容された被保冷物を取り出すことができる。この際、内装ケースの上方が開放していることにより、内装ケースが外装箱から引き出された状態とすることで、内装ケースの奥の方に収容された被保冷物も容易に取り出すことができる。
【００１０】
また、内装ケースが、保冷剤を収容可能な保冷剤収容部を有するものにおいては、保冷剤収容部に保冷剤を収容しておけば、外装箱の内側の面に保冷剤が取り付けられているか否かに関わらず、被保冷物を保冷剤の温度に応じた所望の温度で保冷することができるとともに、内装ケースを外装箱から引き出した後も、被保冷物を保冷剤によって保冷することができる。また、外装箱の内側の面に保冷剤が取り付けられている場合と比べても、保冷剤が被保冷物の近くに配置されることとなり、保冷剤による保冷効果が向上する。
【発明の効果】
【００１１】
本発明においては、被保冷物が収容された内装ケースが、１つの側面が開閉自在に構成された外装箱にその１つの側面から収容されることにより、被保冷物が収容されて保冷され、その後、内装ケースが外装箱から引き出されて、収容された被保冷物が取り出されることになるため、内装ケースの奥の方に収容された被保冷物も容易に取り出すことができる。
【００１２】
また、内装ケースが、保冷剤を収容可能な保冷剤収容部を有するものにおいては、保冷剤収容部に保冷剤を収容しておけば、外装箱の内側の面に保冷剤が取り付けられているか否かに関わらず、被保冷物を保冷剤の温度に応じた所望の温度で保冷することができるとともに、内装ケースを外装箱から引き出した後も、被保冷物を保冷することができる。また、外装箱の内側の面に保冷剤が取り付けられている場合と比べても、保冷剤が被保冷物の近くに配置されることとなり、保冷剤による保冷効果を向上させることができる。
【図面の簡単な説明】
【００１３】
【図１】本発明の保冷箱を構成する外装箱の実施の一形態を示す図であり、（ａ）は開閉自在に構成された側面を閉じた状態の外観斜視図、（ｂ）は開閉自在に構成された側面を開いた状態の外観斜視図である。
【図２】本発明の保冷箱を構成する内装ケースの実施の一形態を示す図であり、（ａ）は被保冷物が収容される収容領域に断熱シートが被せられた状態の外観斜視図、（ｂ）は断熱シートを捲った状態の外観斜視図である。
【図３】図２に示した内装ケースへの被保冷物の収容方法を説明するための外観斜視図である。
【図４】被保冷物となる物品が収容された内装ケースを外装箱に収容する方法を説明するための外観斜視図である。
【図５】内装ケースと外装箱からなる保冷箱に収容された物品の取り出し方法の一例を説明するための外観斜視図である。
【図６】内装ケースと外装箱からなる保冷箱に収容された物品の取り出し方法の他の例を説明するための外観斜視図である。
【図７】本発明の保冷箱を構成する外装箱の他の実施の形態を示す外観斜視図である。
【図８】本発明の保冷箱を構成する外装箱の他の実施の形態を示す図であり、（ａ）は上側となって積層された外装箱の天面と下側となって積層された外装箱の側面を閉じた状態を示す外観斜視図、（ｂ）は２つの外装箱を分離した状態を示す外観斜視図、（ｃ）は上側となって積層された外装箱の天面と下側となって積層された外装箱の側面を開いた状態を示す外観斜視図である。
【発明を実施するための形態】
【００１４】
以下に、本発明の実施の形態について図面を参照して説明する。
【００１５】
図１は、本発明の保冷箱を構成する外装箱の実施の一形態を示す図であり、（ａ）は開閉自在に構成された側面１３ａを閉じた状態の外観斜視図、（ｂ）は開閉自在に構成された側面１３ａを開いた状態の外観斜視図である。図２は、本発明の保冷箱を構成する内装ケースの実施の一形態を示す図であり、（ａ）は被保冷物が収容される収容領域に断熱シート３３が被せられた状態の外観斜視図、（ｂ）は断熱シート３３を捲った状態の外観斜視図である。
【００１６】
本形態における外装箱１０は図１に示すように、天面１１、底面１２及び４つの側面１３ａ〜１３ｄによって構成される直方体からなり、４つの側面１３ａ〜１３ｄのうち、１つの側面１３ａが開閉自在に構成されている。天面１１、底面１２及び４つの側面１３ａ〜１３ｄのそれぞれは、アルミ蒸着シートの内側に断熱材２１，２２，２３ａ〜２３ｄが貼り付けられて構成されており、それにより、外装箱１０は断熱材から構成されている。
【００１７】
開閉自在に構成された側面１３ａは、底面１２との連接辺を軸として開閉自在となっており、一端が側面１３ｂ，１３ｃにそれぞれ固定された支え紐１６ａ，１６ｂの他端が固定されることで、底面１２と平行な状態までしか開かないようになっている。また、底面１２との連接辺とは反対側の辺に沿う領域に、紐等で構成された取っ手１５が取り付けられており、この取っ手１５を掴んで側面１３ａを開くことができるようになっている。また、側面１３ａは、閉じられた場合に天面１１及び側面１３ｂ，１３ｃ間に嵌まり込む状態となるが、底面１２との連接辺に直交する方向の長さが、側面１３ｂ〜１３ｄの同方向の長さよりも若干短いことにより、側面１３ａの上端辺と天面１１との間に隙間１７が生じることになる。
【００１８】
本形態における内装ケース３０は図１に示した外装箱１０に収容可能なものであって、図２に示すように、四角形からなる底面３１の４つの端辺上のそれぞれに側壁３２ａ〜３２ｄが起立し、上方が開放されて構成されている。底面３１は、外装箱１０の、天面１１、底面１２及び側面１３ａ〜１３ｄで囲まれた収容領域の底面よりも一回り小さな形状となっている。また、４つの側壁３２ａ〜３２ｄのうち３つの側壁３２ｂ〜３２ｄの高さは、外装箱１０の、天面１１、底面１２及び側面１３ａ〜１３ｄで囲まれた収容領域の高さよりも若干低いものとなっており、側壁３２ａの高さは、側壁３２ｂ〜３２ｄの高さの１／５程度となっている。
【００１９】
側壁３２ａには、貫通孔からなる２つの取っ手４２ａが設けられているとともに、この２つの取っ手４２ａ間に、内装ケース３０内の温度を表示する温度表示部３４が取り付けられている。温度表示部３４は、内装ケース３０内に取り付けられた温度センサー（不図示）にて測定された内装ケース３０内の温度を表示するものである。
【００２０】
側壁３２ｂ〜３２ｄのそれぞれには、上端辺に沿う領域に貫通孔からなる取っ手４２ｂ〜４２ｄが設けられているとともに、内側となる面に保冷剤収容部となる収容ポケット３５が取り付けられている。収容ポケット３５は、例えば可撓性を有するポリエステルのシートからなり、側壁３２ｂ〜３２ｄのそれぞれに３個ずつ取り付けられている。
【００２１】
側壁３２ｄには、取っ手４２ｄよりも上端辺側に断熱シート３３が固着されている。断熱シート３３は、例えばアルミ等の断熱性を有するものからなり、その幅は側壁３２ｄの幅と同等であり、その長さが側壁１３ｂ，１３ｃの幅と高さとを加えたものと同等となっている。
【００２２】
以下に、上記のように構成された外装箱１０と内装ケース３０とからなる保冷箱の使用方法について説明する。
【００２３】
まず、図２に示した内装ケース３０への被保冷物の収容方法について説明する。
【００２４】
図３は、図２に示した内装ケース３０への被保冷物の収容方法を説明するための外観斜視図である。
【００２５】
上記のように構成された外装箱１０と内装ケース３０とからなる保冷箱に被保冷物を収容する場合は、まず、内装ケース３０に被保冷物を収容することになる。
【００２６】
図２に示した内装ケース３０は、底面３１及び側壁３２ａ〜３２ｄで囲まれた領域が、被保冷物が収容される収容領域となり、上方が開放されているため、図３（ａ）に示すように断熱シート３３を捲り上げ、底面３１及び側壁３２ａ〜３２ｄで囲まれた領域に、開放した上方から被保冷物となる物品５０を収容する。断熱シート３３は、その一端が側壁３２ｄに固着されており、捲り上げることができる。
【００２７】
底面３１及び側壁３２ａ〜３２ｄで囲まれた領域に物品５０を収容した後、図３（ｂ）に示すように、物品５０上に断熱シート３３を被せることになる。断熱シート３３は、上述したように、その幅が側壁３２ｄの幅と同等であり、その長さが側壁１３ｂ，１３ｃの幅と高さとを加えたものと同等となっているため、底面３１及び側壁３２ａ〜３２ｄで囲まれた領域に収容された全ての物品５０を覆うことができる。
【００２８】
このようにして、図２に示した内装ケース３０に被保冷物となる物品５０を収容することになる。なお、物品５０を内装ケース３０に収容する前、あるいは物品５０を内装ケース３０に収容した後であって物品５０に断熱シート３３を被せる前に、収容ポケット３５に、所望の温度に保冷した保冷剤を収容することにより、その後、内装ケース３０が外装箱１０に収容された場合に、外装箱１０の内側の面に保冷剤が取り付けられているか否かに関わらず、物品５０を所望の温度に保冷することができる。また、外装箱１０の内側の面に保冷剤が取り付けられている場合と比べても、保冷剤が物品５０の近くに配置されることとなり、保冷剤による保冷効果を向上させることができる。
【００２９】
次に、上記のようにして被保冷物となる物品５０が収容された内装ケース３０を外装箱１０に収容する方法について説明する。
【００３０】
図４は、被保冷物となる物品５０が収容された内装ケース３０を外装箱１０に収容する方法を説明するための外観斜視図である。
【００３１】
被保冷物となる物品５０が収容された内装ケース３０を外装箱１０に収容する場合は、まず、外装箱１０の側面１３ａを開く。この際、側面１３ａには上述したように紐等で構成された取っ手１５が取り付けられているため、この取っ手１５を掴んで側面１３ａを開くことができる。ここで、外装箱１０上に他の収容ボックス等が載置されている場合、外装箱１０の天面１１が撓り、側面１３ａが開きにくくなってしまう虞れがあるが、上述したように、側面１３ａの上端辺と天面１１との間に隙間１７が生じているため、外装箱１０の天面１１が多少撓った場合でも、側面１３ａが開きにくくなってしまうことが回避される。なお、外装箱１０上に他の収容ボックス等を載置しない場合は、上記のように側面１３ａの上端辺と天面１１との間に隙間１７を生じさせておく必要がないため、側面１３ａの底面１２との連接辺に直交する方向の長さを、側面１３ｂ〜１３ｄの同方向の長さと同等とするとよい。
【００３２】
そして、図４に示すように、側面１３ａが開いた面から、側壁３２ａが手前側となるように内装ケース３０を外装箱１０に収容する。
【００３３】
その後、側面１３ａを閉じることにより、被保冷物となる物品５０が収容された内装ケース３０が外装箱１０に収容された状態となる。このように外装箱１０は内装ケース３０を収容可能な構成となっている。この際、上述したように内装ケース３０の底面３１が、外装箱１０の、天面１１、底面１２及び側面１３ａ〜１３ｄで囲まれた収容領域の底面よりも一回り小さな形状となっており、また、内装ケース３０の側壁３２ａ〜３２ｄが、この底面３１の４つの端辺上のそれぞれに起立して設けられているため、内装ケース３０が外装箱１０に収容された状態においては、内装ケース３０の側壁３２ａ〜３２ｄがそれぞれ外装箱１０の側面１３ａ〜１３ｄに近接して沿うような状態となる。また、内装ケース３０の３つの側壁３２ｂ〜３２ｄの高さが、外装箱１０の、天面１１、底面１２及び側面１３ａ〜１３ｄで囲まれた収容領域の高さよりも若干低いものとなっていることにより、内装ケース３０が外装箱１０に収容された状態においては、内装ケース３０の側壁３２ｂ〜３２ｄの上端辺がそれぞれ外装箱１０の天面１１に近接した状態となる。
【００３４】
このようにして、被保冷物となる物品５０が収容された内装ケース３０が外装箱１０に収容された状態、すなわち、内装ケース３０と外装箱１０からなる保冷箱に物品５０が収容された状態において、物品５０が保冷されながら搬送あるいは保管されることになる。そして、物品５０が収容された内装ケース３０が外装箱１０に収容された状態においては、物品５０が、内装ケース３０、断熱シート３３及び外装箱１０によって囲まれたものとなることにより、物品５０が外気の温度の影響を受けにくくなる。
【００３５】
次に、上記のように保冷箱に収容された物品５０の取り出し方法について説明する。
【００３６】
図５は、内装ケース３０と外装箱１０からなる保冷箱に収容された物品５０の取り出し方法の一例を説明するための外観斜視図である。
【００３７】
上記のようにして、内装ケース３０と外装箱１０からなる保冷箱に収容された物品５０を取り出す場合は、まず、外装箱１０の側面１３ａを開く。この際、側面１３ａには上述したように紐等で構成された取っ手１５が取り付けられているため、この取っ手１５を掴んで側面１３ａを開くことができる。また、外装箱１０上に他の収容ボックス等が載置されている場合、外装箱１０の天面１１が撓り、側面１３ａが開きにくくなってしまう虞れがあるが、上述したように、側面１３ａの上端辺と天面１１との間に隙間１７が生じているため、外装箱１０の天面１１が多少撓った場合でも、側面１３ａが開きにくくなってしまうことが回避される。
【００３８】
次に、図５（ａ）に示すように、取っ手４２ａを掴み、内装ケース３０を外装箱１０から引き出す。すなわち、内装ケース３０の側壁３２ａは、内装ケース３０が外装箱１０に収容された状態から引き出される際に引き出し側となるものであって、内装ケース３０は外装箱１０に引き出し可能に収容されていることになる。また、内装ケース３０においては、側壁３２ａの高さが他の側壁３２ｂ〜３２ｄよりも低いことから、この高さの違いを利用して、側壁３２ａを取っ手の代わりに使用することで、内装ケース３０を外装箱１０から引き出しやすくなっている。
【００３９】
内装ケース３０を外装箱１０から引き出す際、側面１３ａが、支え紐１６ａ，１６ｂによって底面１２と平行な状態までしか開かないようになっていることにより、内装ケース３０を手前にスライドさせながら外装箱１０から引き出し、そのまま側面１３ａ上に載置された状態とすることができる。なお、側面１３ａの大きさを内装ケース３０の底面３１よりも大きくすれば、その後、内装ケース３０から物品５０を取り出す作業を行う際に、側面１３ａを作業台として利用することができる。このように外装箱１０は、外装箱１０に収容された内装ケース３０を引き出し可能な構成となっている。
【００４０】
内装ケース３０を外装箱１０から引き出した後、内装ケース３０の上方が開放されていることから、図５（ｂ）に示すように断熱シート３３を捲り上げることで、内装ケース３０に収容された物品５０を取り出すことができる。この際、内装ケース３０の上方が開放していることにより、上記のように内装ケース３０が外装箱１０から引き出された状態とすることで、内装ケース３０の奥の方に収容された物品５０も容易に取り出すことができる。
【００４１】
また、内装ケース３０に設けられた収容ポケット３５に、所望の温度に保冷した保冷剤を収容した状態で、断熱シート３３を物品５０に被せておくことにより、内装ケース３０が外装箱１０から引き出された状態でも、物品５０を所望の温度に保冷することができる。
【００４２】
図６は、内装ケース３０と外装箱１０からなる保冷箱に収容された物品５０の取り出し方法の他の例を説明するための外観斜視図である。
【００４３】
上記のように構成された保冷箱においては、外装箱１０から内装ケース３０を引き出し、その状態にて内装ケース３０から物品５を取り出すための十分なスペースを確保できない場合は、図６に示すように、内装ケース３０が外装箱１０に収容された状態にて断熱シート３３を捲り上げる。すると、内装ケース３０が、上方が開放されるとともに、外装箱１０に収容された状態から引き出される際に引き出し側となる側壁３２ａの高さが、他の側壁３２ｂ〜３２ｄの高さの１／５程度となっていることから、内装ケース３０に収容された物品５０を側壁３２ａ側から取り出すことができる。なお、側壁３２ａの高さは、側壁３２ｂ〜３２ｄの高さよりも低ければよいが、内装ケース３０が外装箱１０に収容された状態にて側壁３２ａ側から物品５０を容易に取り出すためには、側壁３２ｂ〜３２ｄの１／２以下であることが好ましい。
【００４４】
なお、本形態においては、側壁３２ｂ〜３２ｄのそれぞれの内側となる面に収容ポケット３５が取り付けられているが、収容ポケット３５は、側壁３２ｂ〜３２ｄのそれぞれの外側となる面に取り付けられていてもよい。その場合、内装ケース３０に収容された物品５０と保冷剤との間に側壁３２ｂ〜３２ｄが介在することになるため、物品５０が冷えすぎてしまうことや、物品５０に結露が生じてしまうことを回避できる。また、収容ポケット３５は、側壁３２ｂ〜３２ｄに限らず、その大きさを適宜設定することにより、側壁３２ａや底面３１に取り付けてもよい。
【００４５】
（他の実施の形態）
図７は、本発明の保冷箱を構成する外装箱の他の実施の形態を示す外観斜視図であり、開閉自在に構成された側面１３ａを開いた状態を示す。
【００４６】
図７に示すように、図２に示した内装ケース３０に取り付けられたものと同様の保冷剤を収容するための収容ポケット１３５を外装箱１１０の側面１３ａ〜１３ｄのうち、開閉自在な側面１３ａ以外の側面１３ｂ〜１３ｄの内側の面に取り付けてもよい。
【００４７】
このように構成された外装箱１１０を用いれば、内装ケース３０の内側の面に保冷剤が取り付けられていない場合に、外装箱１１０に内装ケースが収容された状態では、内装ケースに収容された被保冷物と保冷剤との間に内装ケースが介在することになるため、被保冷物が冷えすぎてしまうことや、被保冷物に結露が生じてしまうことを回避できる。すなわち、内装ケースは、被保冷物が冷えすぎてしまうことや、被保冷物に結露が生じてしまうことを回避することにも役立つものである。
【００４８】
図８は、本発明の保冷箱を構成する外装箱の他の実施の形態を示す図であり、（ａ）は上側となって積層された外装箱２６０の天面２６１と下側となって積層された外装箱１０の側面１３ａを閉じた状態を示す外観斜視図、（ｂ）は２つの外装箱１０，２６０を分離した状態を示す外観斜視図、（ｃ）は上側となって積層された外装箱２６０の天面２６１と下側となって積層された外装箱１０の側面１３ａを開いた状態を示す外観斜視図である。
【００４９】
本形態は図８に示すように、図１に示した外装箱１０上に外装箱２６０が積層された二段構造のものとなっている。
【００５０】
外装箱１０上に積層される外装箱２６０は、天面２６１、底面２６２及び４つの側面２６３ａ〜２６３ｄによって構成される直方体からなり、天面２６１が開閉自在に構成されている。
【００５１】
天面２６１及び底面２６２は、外装箱１０の天面１１及び底面１２と同一形状を有しており、それにより、外装箱１０上に外装箱２６０が積層された場合に、１つの直方体を構成する。
【００５２】
天面２６１は、側面２６３ｄとの連接辺を軸として開閉自在となっているとともに、側面２６３ｄとの連接辺とは反対側の辺に沿う領域に、紐等で構成された取っ手２６５が取り付けられており、この取っ手２６５を掴んで天面２６１を開くことができるようになっている。
【００５３】
上記のように構成された２つの外装箱１０，２６０を用いた保冷箱においては、２つの外装箱１０，２６０を有することから、例えば、外装箱１０に上記同様に、保冷が必要な物品５０が収容された内装ケース３０を収容し、外装箱２６０に保冷が不要な物品を収容する等、保管の温度帯が異なる物品を収容することができる。
【００５４】
また、外装箱１０上に外装箱２６０が積層されていることにより、外装箱１０の天面１１が撓り、側面１３ａが開きにくくなってしまう虞れがあるが、上述したように、側面１３ａの上端辺と天面１１との間に隙間１７が生じているため、外装箱１０の天面１１が多少撓った場合でも、側面１３ａが開きにくくなってしまうことが回避される。
【００５５】
なお、上述した実施の形態においては、外装箱１０の側面１３ａ〜１３ｄのうち開閉自在に構成された側面１３ａが、底面１２との連接辺を軸として開閉自在となっているが、側面１３ｂ，１３ｃとの連接辺をそれぞれ軸として観音開きに開閉自在なものや、側面１３ｂ，１３ｃのいずれか一方や天面１１との連接辺を軸として開閉自在なものや、スライド式に開閉自在なもの等、開閉自在な構造としては様々なものを用いることができる。
【符号の説明】
【００５６】
１０，１１０，２６０    外装箱
１１，２６１    天面
１２，３１，２６２    底面
１３ａ〜１３ｄ，２６３ａ〜２６３ｄ    側面
１５，４２ａ〜４２ｄ，２６５    取っ手
１６ａ，１６ｂ    支え紐
１７    隙間
２１，２２，２３ａ〜２３ｄ    断熱材
３０    内装ケース
３２ａ〜３２ｄ    側壁
３３    断熱シート
３４    温度表示部
３５，１３５    収容ポケット
５０    物品
【図１】
0006444144.tif 000002
【図２】
0006444144.tif 000003
【図３】
0006444144.tif 000004
【図４】
0006444144.tif 000005
【図５】
0006444144.tif 000006
【図６】
0006444144.tif 000007
【図７】
0006444144.tif 000008
【図８】
0006444144.tif 000009